(57)【要約】【課題】容易に両手で背面入力を行うことが可能な携帯型情報処理装置、その入力方法、およびコンピュータが実行可能なプログラムを提供することを目的とする。【解決手段】前面側に配置されたディスプレイと、背面側に配置された第１のタッチパッドとを備えた、スレート形状を呈する携帯型情報処理装置であって、前記第１のタッチパッドに左右の複数本の指が接触した位置を検出して、前記各複数本の指の位置をホームポジションに設定するホームポジション設定手段と、前記各複数本の指の前記ホームポジションからの相対的変位及びその押し圧力に基づいて、キー入力を判別するキー判別手段と、を備えている。【選択図】  図７
2014176019.tif 000002
【特許請求の範囲】
【請求項１】
前面側に配置されたディスプレイと、背面側に配置された第１のタッチパッドとを備えた、スレート形状を呈する携帯型情報処理装置であって、
前記第１のタッチパッドに左右の複数本の指が接触した位置を検出して、前記各複数本の指の位置をホームポジションに設定するホームポジション設定手段と、
前記各複数本の指の前記ホームポジションからの相対的変位及びその押し圧力に基づいて、キー入力を判別するキー判別手段と、
を備えたことを特徴とする携帯型情報処理装置。
【請求項２】
前記キー入力判別手段は、
前記ホームポジションから指の移動量が閾値を超え、かつ、その移動方向が所定角度範囲内である場合に、対応するキーを選択する選択手段と、
前記選択手段でキーが選択された場合において、当該指の閾値以上の押し圧力を検出した場合に、選択されたキーのキー入力を確定する入力確定手段と、
を備えたことを特徴とする請求項１に記載の携帯型情報処理装置。
【請求項３】
前記ディスプレイ上に配置された第２のタッチパッドと、
前記ディスプレイに、前記第１のタッチパッドで割り当てられていないキーを表示する表示制御手段と、
を備えたことを特徴とする請求項１又は請求項２に記載の携帯型情報処理装置。
【請求項４】
前記表示制御手段は、前記ディスプレイに、前記第１のタッチパッドによるキー入力のガイダンス表示を行うことを特徴とする請求項１〜請求項３のいずれか１つに記載の携帯型情報処理装置。
【請求項５】
前記左右の複数本の指は、左右の人差し指、中指、薬指、及び小指であり、
前記ホームポジション設定手段は、左手の人差し指に「Ｆ」、左手の中指に「Ｄ」、左手の薬指に「Ｓ」、左手の小指に「Ａ」、右手の人差し指に「Ｊ」、右手の中指に「Ｋ」、右手の薬指に「Ｌ」、右手の小指に「；」のキーを前記ホームポジションとして割り当てることを特徴とする請求項１〜請求項４のいずれか１つに記載の携帯型情報処理装置。
【請求項６】
前記第１のタッチパッドでキー入力が行われた際の各指の移動方向を学習し、前記所定角度範囲を修正する第１の学習手段を備えたことを特徴とする請求項１〜請求項５のいずれか１つに記載の携帯型情報処理装置。
【請求項７】
前記第１のタッチパッドに対する指の押し圧力を学習し、前記指の閾値を修正する第２の学習手段を備えたことを特徴とする請求項１〜請求項６のいずれか１つに記載の携帯型情報処理装置。
【請求項８】
前記携帯型情報入力装置は、タブレットＰＣであることを特徴とする請求項１〜７のいずれか１つに記載の携帯型情報処理装置。
【請求項９】
前面側に配置されたディスプレイと、背面側に配置された第１のタッチパッドとを備えた、スレート形状を呈する携帯型情報処理装置の入力方法であって、
前記第１のタッチパッドに左右の複数本の指が接触した位置を検出して、前記各複数本の指の位置をホームポジションに設定するホームポジション設定工程と、
前記各複数本の指の前記ホームポジションからの相対的変位及びその押し圧力に基づいて、キー入力を判別するキー判別工程と、
を含むことを特徴とする携帯型情報処理装置の入力方法。
【請求項１０】
前面側に配置されたディスプレイと、背面側に配置された第１のタッチパッドとを備えた、スレート形状を呈する携帯型情報処理装置に搭載されるプログラムであって、
前記第１のタッチパッドに左右の複数本の指が接触した位置を検出して、前記各複数本の指の位置をホームポジションに設定するホームポジション設定工程と、
前記各複数本の指の前記ホームポジションからの相対的変位及びその押し圧力に基づいて、キー入力を判別するキー判別工程と、
をコンピュータに実行させることを特徴とするコンピュータが実行可能なプログラム。
【発明の詳細な説明】
【技術分野】
【０００１】
本発明は、携帯型情報処理装置、その入力方法、およびコンピュータが実行可能なプログラムに関する。 
【背景技術】
【０００２】
近年、タブレットＰＣ、スマートフォン、ＰＤＡ（Ｐｅｒｓｏｎａｌ Ｄｉｇｉｔａｌ Ａｓｓｉｓｔａｎｃｅ）、電子書籍閲覧端末等の携帯型情報機器が普及している。このような携帯型情報機器は、ユーザインタフェィスとして、ディスプレイと、キーボードや指先でタッチして操作するタッチパッドのようなキー入力部とを備え、各種アプリケーションを実行して、情報の閲覧や各種処理が可能となっている。
【０００３】
図１５は、タブレットＰＣでのテキスト入力を説明するための図である。図１５に示すように、タブレットＰＣ２００では、テキスト入力する場合には通常、ディスプレイに表示されるソフトウェアキーボード２０１が使用される。ソフトウェアキーボード２０１の場合は、キーボード２０１が画面の広範囲を隠してしまうため、表示情報が見づらいという問題がある。また、タブレットＰＣ２００の場合は、立ったまま両手でソフトウェアキーボード２０１から入力するのが困難である。他方、スマートフォンの場合には、ソフトウェアキーボードが小さすぎて入力が不便であり、両手を使用した入力が困難である。
【先行技術文献】
【特許文献】
【０００４】
【特許文献１】特開平７−２０００９８号公報
【特許文献２】特開平１０−２９３６４０号公報
【特許文献３】特開２００４−１３３８１号公報
【発明の概要】
【発明が解決しようとする課題】
【０００５】
本発明は、上記に鑑みてなされたものであり、容易に両手で背面入力を行うことが可能な携帯型情報処理装置、その入力方法、およびコンピュータが実行可能なプログラムを提供することを目的とする。
【課題を解決するための手段】
【０００６】
上述した課題を解決し、目的を達成するために、本発明は、前面側に配置されたディスプレイと、背面側に配置された第１のタッチパッドとを備えた、スレート形状を呈する携帯型情報処理装置であって、前記第１のタッチパッドに左右の複数本の指が接触した位置を検出して、前記各複数本の指の位置をホームポジションに設定するホームポジション設定手段と、前記各複数本の指の前記ホームポジションからの相対的変位及びその押し圧力に基づいて、キー入力を判別するキー判別手段と、を備えたことを特徴とする。
【０００７】
また、本発明の好ましい態様によれば、前記キー入力判別手段は、前記ホームポジションから指の移動量が閾値を超え、かつ、その移動方向が所定角度範囲内である場合に、対応するキーを選択する選択手段と、前記選択手段でキーが選択された場合において、当該指の閾値以上の押し圧力を検出した場合に、選択されたキーのキー入力を確定する入力確定手段と、を備えることが望ましい。
【０００８】
また、本発明の好ましい態様によれば、前記ディスプレイ上に配置された第２のタッチパッドと、前記ディスプレイに、前記第１のタッチパッドで割り当てられていないキーを表示する表示制御手段と、を備えることが望ましい。
【０００９】
また、本発明の好ましい態様によれば、前記表示制御手段は、前記ディスプレイに、前記第１のタッチパッドによるキー入力のガイダンス表示を行うことが望ましい。
【００１０】
また、本発明の好ましい態様によれば、前記左右の複数本の指は、左右の人差し指、中指、薬指、及び小指であり、前記ホームポジション設定手段は、左手の人差し指に「Ｆ」、左手の中指に「Ｄ」、左手の薬指に「Ｓ」、左手の小指に「Ａ」、右手の人差し指に「Ｊ」、右手の中指に「Ｋ」、右手の薬指に「Ｌ」、右手の小指に「；」のキーを前記ホームポジションとして割り当てることが望ましい。
【００１１】
また、本発明の好ましい態様によれば、前記第１のタッチパッドでキー入力が行われた際の各指の移動方向を学習し、前記所定角度範囲を修正する第１の学習手段を備えることが望ましい。
【００１２】
また、本発明の好ましい態様によれば、前記第１のタッチパッドに対する指の押し圧力を学習し、前記指の閾値を修正する第２の学習手段を備えることが望ましい。
【００１３】
また、本発明の好ましい態様によれば、前記携帯型情報入力装置は、タブレットＰＣであることが望ましい。
【００１４】
上述した課題を解決し、目的を達成するために、本発明は、前面側に配置されたディスプレイと、背面側に配置された第１のタッチパッドとを備えた、スレート形状を呈する携帯型情報処理装置の入力方法であって、前記第１のタッチパッドに左右の複数本の指が接触した位置を検出して、前記各複数本の指の位置をホームポジションに設定するホームポジション設定工程と、前記各複数本の指の前記ホームポジションからの相対的変位及びその押し圧力に基づいて、キー入力を判別するキー判別工程と、を含むことを特徴とする。
【００１５】
上述した課題を解決し、目的を達成するために、本発明は、前面側に配置されたディスプレイと、背面側に配置された第１のタッチパッドとを備えた、スレート形状を呈する携帯型情報処理装置に搭載されるプログラムであって、前記第１のタッチパッドに左右の複数本の指が接触した位置を検出して、前記各複数本の指の位置をホームポジションに設定するホームポジション設定工程と、前記各複数本の指の前記ホームポジションからの相対的変位及びその押し圧力に基づいて、キー入力を判別するキー判別工程と、をコンピュータに実行させることを特徴とする。
【発明の効果】
【００１６】
本発明によれば、容易に両手で背面入力を行うことが可能な携帯型情報処理装置、その入力方法、およびコンピュータが実行可能なプログラムを提供することが可能となるという効果を奏する。 
【図面の簡単な説明】
【００１７】
【図１】図１は、タブレットＰＣの前面図である。
【図２】図２は、タブレットＰＣ１の背面図である。
【図３】図３は、図１の概略Ａ−Ａ断面図である。
【図４】図４は、タブレットＰＣの使用説明図である。
【図５】図５は、タブレットＰＣのハードウェアの構成を示す概略図である。
【図６】図６は、タブレットＰＣの背面入力に関する概略の機能構成図である。
【図７】図７は、タブレットＰＣの背面入力の操作方法を説明するための模式図である。
【図８】図８は、左手の人差し指に対応するキーの相対的配置位置（仮想キー配列）を説明するための概念図である。
【図９】図９は、ＬＣＤに表示される背面入力のガイダンスの一例を示す図である。
【図１０】図１０は、上記タブレットＰＣの背面入力の手順を説明するための図である。
【図１１】図１１は、ＬＣＤの表示例を示す図である。
【図１２】図１２は、変形例に係る上背面入力に関する概略の機能構成図である。
【図１３】図１３は、図８で示した左手の人差し指のキー配置の修正例を示す図である。
【図１４】図１４は、ユーザの指の押し圧力の一例を説明するための図である。
【図１５】図１５は、背景技術を説明するための図である。
【発明を実施するための形態】
【００１８】
以下、本実施の形態に係る携帯型情報処理装置、その入力方法、およびコンピュータが実行可能なプログラムを適用したコンピュータシステムの実施の形態について説明する。本発明の構成要素は、本明細書の図面に一般に示してあるが、様々な構成で広く多様に配置し設計してもよいことは容易に理解できる。したがって、本発明の装置、方法、およびプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システムおよび方法についての選択した実施の形態を単に示すものである。当業者は、特定の細目の１つ以上が無くても、または他の方法、部品、材料でも本発明を実現できることが理解できる。 
【００１９】
（実施の形態）
図１〜図４を参照して、本実施の形態に係る背面入力機能を備えたタブレットＰＣ１０の概略の外観構成を説明する。図１はタブレットＰＣ１０の前面図、図２はタブレットＰＣ１０の背面図、図３は図１の概略のＡ−Ａ断面図、図４はタブレットＰＣ１０の使用説明図である。
【００２０】
タブレットＰＣ１０は、前面にディスプレイが配置され、背面にタッチパッドが配置され、背面入力が可能なスレート形状の携帯型情報処理装置である。タブレットＰＣ１０は、両手で保持できる程度のサイズとなっている。
【００２１】
タブレットＰＣ１０は、図１〜図３に示すように、前面１０ａ側にＬＣＤ１３が配置され、ＬＣＤ１３上に第２のタッチパッド１２が配置されている。ＬＣＤ１３には各種情報が表示される。また、背面１０ｂ側には、第１のタッチパッド１５が配置されており、背面入力が可能な構成となっている。
【００２２】
タブレットＰＣ１０は、略長方体である筐体１１に、回路基板１４、ＬＣＤ１３、第２のタッチパッド１２、第１のタッチパッド１５が収納されている。筐体１１は例えば合成樹脂で構成することができる。第１のタッチパッド１５及び第２のタッチパッド１２は、筐体１１の額縁と略同一平面上に配置されている。
【００２３】
第２のタッチパッド１２は、複数本の指を同時に検出可能なマルチタッチパッドであり、例えば、静電容量式のタッチセンサで構成され、タッチ位置（Ｘ，Ｙ）を検出可能な構成となっている。第１のタッチパッド１５は、複数本の指を同時に検出可能なマルチタッチパッドであり、例えば、静電容量式のタッチセンサで構成されるタッチ座標検出部１５ａと、歪みセンサ等で構成される圧力検出部１５ｂとで構成されており、タッチ位置（Ｘ，Ｙ）及びそのタッチ圧力（Ｐ）を検出可能な構成となっている。なお、タッチ位置（Ｘ，Ｙ）及びそのタッチ圧力（Ｐ）を検出する方法は、公知の方法を使用することができるので、その詳細な説明は省略する。第１のタッチパッド１５と第２のタッチパッド１２とは、同一のサイズであることが望ましい。
【００２４】
図４の使用説明図に示すように、タブレットＰＣ１０の背面１０ｂを、両側面から左右の手の人差し指、中指、薬指、小指の８指で支え、この８指を使用して、第１のタッチパッド１５から背面入力を行う。また、前面１０ａを左右の手の親指の２指で支え、この２指を使用して、第２のタッチパッド１２から前面入力を行う。すなわち、全１０本の指を使用して入力を行う。
【００２５】
詳細を後述するように、タブレットＰＣ１０は、第１のタッチパッド１５に左右の手の人差し指、中指、薬指、小指が接触した位置を検出して、各指に、それぞれ特定のキーを割り当てホームポジションとして設定し、各指のホームポジションからの相対的変位及び押し圧力に基づいてキー入力を判別することで、両手を使用した背面入力を容易にしている。
【００２６】
図５は、上記タブレットＰＣ１０のハードウェアの構成を示す概略図である。ＰＣ１０は、同図に示すように、ＣＰＵ１０１、ＲＯＭ１０２、メモリ１０３、ＨＤＤ（ハードディスク）１０４、ＬＣＤ１３と、グラフィクスアダプタ１０５と、入力部２０と、ＵＳＢポート１０６と、通信デバイス１０７と、電源回路１０８とを備えており、各部はバスを介して直接または間接的に接続されている。
【００２７】
ＣＰＵ１０１は、バスを介して接続されたＨＤＤ１０４に格納されたＯＳ１１１によりＰＣ１全体の制御を行うとともに、ＨＤＤ１０４に格納された各種のプログラムに基づいて処理を実行する機能を司る。ＲＯＭ１０２は、ＢＩＯＳ（Ｂａｓｉｃ  Ｉｎｐｕｔ／Ｏｕｔｐｕｔ  Ｓｙｓｔｅｍ：基本入出力システム）１０２ａやデータ等を格納している。
【００２８】
メモリ１０３は、キャッシュメモリやＲＡＭで構成されており、ＣＰＵ１０１の実行プログラムの読み込み領域として、実行プログラムの処理データを書き込む作業領域として利用される書き込み可能メモリである。 
【００２９】
ＨＤＤ（ハードディスク）１０４は、例えば、Ｗｉｎｄｏｗｓ（登録商標）ＸＰ，ＶＩＳＴＡ、７等のスレートＰＣ１全体の制御を行うためのＯＳ１１１、周辺機器類をハードウェア操作するための各種ドライバ１１２（例えば、タッチパッドドライバ１１２ａ、表示ドライバ１１２ｂ等）１１２、第１のタッチパッド１５を使用して、背面入力を行うための平面入力用アプリケーションと、入力部２０の入力指示に従って、ＬＣＤ１３の表示画面の表示処理や他の処理を実行するための他のアプリケーションプログラム１１３等を記憶する機能を有する。 
【００３０】
グラフィクスアダプタ１０５は、ＣＰＵ１０１の制御に従って、表示情報をビデオ信号に変換し、変換したビデオ信号をＬＣＤ１３に出力する。ＬＣＤ１３は、ＣＰＵ１０１の制御に従って、各種情報を表示する機能を有している。通信デバイス１０７は、ネットワークを介してデータの送受信を行うためのものである。
【００３１】
電源回路１０８は、ＡＣアダプタ、インテリジェント電池、インテリジェント電池を充電するための充電器、およびＤＣ／ＤＣコンバータ等を備えており、ＣＰＵ１０１の制御に従って、各デバイスに電力を供給する。 
【００３２】
入力部２０は、ユーザが入力操作を行うためのユーザインターフェースであり、ユーザが、ＬＣＤ１３の画面に表示される各種メニュー、アイコン、ボタン、およびキーボード等の画面オブジェクトを選択して入力操作を行ったり、テキストの入力操作や、スクロールやスワイプ等の画面操作を行うためのものである。
【００３３】
入力部２０は、タブレットＰＣ１０の前面１０ａ側に配置された第２のタブレット１２と、背面１０ｂ側に配置された第１のタブレット１５とを備えている。第２のタブレット１２は指等のタッチ位置（Ｘ，Ｙ）を検出して、ＣＰＵ１０１に出力する。また、第２のタブレット１２は指のタッチ位置（Ｘ，Ｙ）とそのタッチ圧力（Ｐ）を検出して、ＣＰＵ１０１に出力する。
【００３４】
次に、図６〜図１０を参照して、上記タブレットＰＣ１０による背面入力の検出方法及び操作方法を説明する。図６は上記タブレットＰＣ１０の背面入力に関する概略の機能構成図である。図７は、上記タブレットＰＣ１０の背面入力の操作方法を説明するための模式図である。図８は、左手の人差し指に対応するキーの相対的配置位置（仮想キー配列）を説明するための概念図である。図９は、ＬＣＤ１３に表示される背面入力のガイダンスの一例を示す図である。図１０は、上記タブレットＰＣ１０の背面入力の手順を説明するための図である。
【００３５】
図６において、タッチパッドドライバ１１２ａは、第１のタッチパッド１５で検出されたタッチ座標（Ｘ，Ｙ）、そのタッチ圧力（Ｐ）が入力される。タッチパッドドライバ１１２ａは、タッチパッドドライバ１１２ａから８つのタッチ座標（Ｘ，Ｙ）、そのタッチ圧力（Ｐ）が入力されると、８つのタッチ座標（Ｘ，Ｙ）が、左手の人差し指、中指、薬指、小指、右手の人差し指、中指、薬指、小指の何れに対応するかを判定して、これらの各指毎に、タッチ座標（Ｘ，Ｙ）、そのタッチ圧力（Ｐ）を背面入力用アプリケーション１１３に出力する。また、タッチパッドドライバ１１２ａは、第２のタッチパッド１２で検出されたタッチ座標（Ｘ，Ｙ）が入力され、そのタッチ座標（Ｘ，Ｙ）を背面入力用アプリケーション１１３に出力する。
【００３６】
背面入力用アプリケーション１１３は、指−キー配列記憶部１２１、ホームポジション設定部１２２、キー入力判別部１２３、表示制御部１２４等として機能する。
【００３７】
指−キー配列記憶部１２１は、各指（左手の人差し指、中指、薬指、小指、右手の人差し指、中指、薬指、小指）にそれぞれ複数のキーを割り当て、各指に割り当てたキーの相対的配置位置（仮想キー配列）を記憶している。キーの配置はＱＷＥＲＴＹキーボードを基本に設定されている。なお、本発明では、キー配列はＱＷＥＲＴＹキーボードに限られるものではなく、他のキー配列を使用してもよい。
【００３８】
図７に示すように、左手の人差し指に、「Ｆ」、「Ｒ」、「４」、「Ｖ」、「Ｇ」、「Ｔ」、「５」、［Ｂ」を割り当て、左手の中指に、「Ｄ」、「Ｅ」、「３」、「Ｃ」を割り当て、左手の薬指に、「Ｓ」、「Ｗ」、「２」、「Ｘ」を割り当て、左手の小指に、「Ａ」、「Ｑ」、「１」、「Ｚ」を割り当てている。
【００３９】
また、右手の人差し指に、「Ｊ」、「Ｕ」、「７」、「Ｍ」、「Ｈ」、「Ｙ」、「６」、［Ｎ」を割り当て、右手の中指に、「Ｋ」、「Ｉ」、「８」、「，」を割り当て、右手の薬指に、「Ｌ」、「Ｏ」、「９」、「．」を割り当て、右手の小指に、「；」、「Ｐ」、「０」、「／」を割り当てている。
【００４０】
これらの割り当てにおいて、ＱＷＥＲＴＹキーボードの両手打ちと同様に、左手の人差し指に「Ｆ」、左手の中指に「Ｄ」、左手の薬指に「Ｓ」、左手の小指に「Ａ」、右手の人差し指に「Ｊ」、右手の中指に「Ｋ」、右手の薬指に「Ｌ」、右手の小指に「；」をホームポジションとして割り当てている。
【００４１】
つぎに、これら各指に対応したキーの配列のうち、左手の人差し指を代表して説明する。左手の人差し指の場合は、図６に示すような仮想的なキー配列となる。同図に示すように、ホームポジションは「Ｆ」に設定されており、「Ｆ」に対して、移動方向θが第１の所定角度範囲内で、移動距離Ｌが閾値Ｌ１≦Ｌ＜閾値Ｌ２の範囲に「Ｒ」のキーが割り当てられている。「Ｆ」に対して、移動方向θが第１の所定角度範囲内で、移動距離ＬがＬ≧閾値Ｌ２の範囲に「４」のキーが割り当てられている。また、「Ｆ」に対して、移動方向θが第２の所定角度範囲内で、移動距離Ｌが閾値Ｌ１≦Ｌ＜閾値Ｌ２の範囲に「Ｔ」のキーが割り当てられている。「Ｆ」に対して、移動方向θが第２の所定角度範囲内で、移動距離ＬがＬ≧閾値Ｌ２の範囲に「５」のキーが割り当てられている。また、「Ｆ」に対して、移動方向θが第３の所定角度範囲内で、移動距離Ｌが閾値Ｌ１≦Ｌ＜閾値Ｌ２の範囲に「Ｇ」のキーが割り当てられている。また、「Ｆ」に対して、移動方向θが第４の所定角度範囲内で、移動距離Ｌが閾値Ｌ１≦Ｌ＜閾値Ｌ２の範囲に「Ｂ」のキーが割り当てられている。また、「Ｆ」に対して、移動方向θが第５の所定角度範囲内で、移動距離Ｌが閾値Ｌ１≦Ｌ＜閾値Ｌ２の範囲に「Ｖ」のキーが割り当てられている。例えば、閾値Ｌ１は、指の座標値の標準偏差σの２倍等とすることができ、閾値Ｌ２は、指の座標値の標準偏差σの４倍等とすることができる。
【００４２】
同図において、ユーザは、例えば、ホームポジションから左手の人差し指を、第２の所定角度範囲の方向に距離Ｌ１移動させることで、「Ｔ」を選択することができる。
【００４３】
ホームポジション設定部１２２は、左手の人差し指、中指、薬指、小指、右手の人差し指、中指、薬指、小指のタッチ座標（Ｘ，Ｙ）を各指のホームポジションの座標に設定し、左手の人差し指に「Ｆ」、左手の中指に「Ｄ」、左手の薬指に「Ｓ」、左手の小指に「Ａ」、右手の人差し指に「Ｊ」、右手の中指に「Ｋ」、右手の薬指に「Ｌ」、右手の小指に「；」をホームポジションのキーとして設定する。
【００４４】
キー入力判別部１２３は、左手の人差し指、中指、薬指、小指、右手の人差し指、中指、薬指、小指のホームポジションからの相対的変位及び押し圧力に基づいて、キー入力を判別する。具体的には、キー入力判別部１２３は、指−キー配列記憶部１１３に記憶されているキー配列を参照し、ホームポジションからの指の移動量及び移動方向に基づいて、対応するキーを選択する。より具体的には、ホームポジションから指の移動量が閾値を超え、かつ、その移動方向が所定角度範囲内である場合に対応するキーを選択する。なお、キー入力判別部１２３は、ホームポジションに指がある場合は、ホームポジションのキーを選択中と判断する。そして、キーを選択中の指の閾値以上の押し圧力を検出した場合に、選択したキーの入力を確定する。
【００４５】
表示制御部１２４は、表示ドライバ１１２ｂを介して、第１のタッチパッド１５に割り当てられていないキーをＬＣＤ１３に表示する。例えば、図９に示すように、「Shift」、「Space」、「BS」、「Enter」などの特殊キーを半透明で表示する。ユーザは、両手の親指でこれらのキーを操作する。また、表示制御部１２４は、ＬＣＤ１３に、第１のタッチパッド１５によるキー入力のガイダンス表示を行う。例えば、図９に示すように、左手の人差し指、中指、薬指、小指、右手の人差し指、中指、薬指、及び小指で選択中のキーを半透明で表示する。同図に示す例では、左手の人差し指が「Ｆ」、左手の中指が「Ｄ」、左手の薬指が「Ｓ」、左手の小指が「Ａ」、右手の人差し指が「Ｕ」、右手の中指が「Ｋ」、右手の薬指が「Ｌ」、右手の小指が「；」を選択中であることを示している。
【００４６】
図１０のフローチャートを参照して、上記スレートＰＣ１０で背面入力する手順の概略を説明する。図７において、ユーザが、左右の手の人差し指、中指、薬指、小指の８指を第１のタッチパッド１５にタッチさせると（ステップＳ１）、ホームポジション設定部１２２は、第１のタッチパッド１５上の各指の座標をホームポジションに設定する（ステップＳ２）。なお、上述したように、ホームポジション設定部１２２は、指がホームポジションにある場合は、ホームポジションのキーを選択中であると判断する。
【００４７】
次に、キー入力判別部１２３は、指−キー配列記憶部１２１に記憶されているキー配列を参照し、ホームポジションからの移動量が閾値以上で、かつ、移動方向が所定角度範囲内となる指の移動があるか否かを判断する（ステップＳ３）。キー入力判別部１２３は、ホームポジションからの移動量が閾値以上で、かつ、移動方向が設定角度範囲内となる指の移動がある場合には（ステップＳ３の「Ｙｅｓ」）、対応するキーを選択する（ステップＳ４）。他方、ホームポジションからの移動量が閾値以上で、かつ、移動方向が設定角度範囲内となる指の移動がない場合には（ステップＳ３の「Ｎｏ」）、ステップＳ５に移行する。
【００４８】
ステップＳ５では、キー入力判別部１２３は、キーを選択中の指から閾値以上の押し圧力が加えられたか否かを判断し（ステップＳ５）、キーを選択中の指から閾値以上の押し圧力が加えられていない場合には、ステップＳ３に戻る。他方、キーを選択中の指から閾値以上の押し圧力が加えられた場合には（ステップＳ５の「Ｙｅｓ」）、キー入力判別部１２３は、選択中のキーの入力を確定して（ステップＳ６）、ステップＳ３に戻る。
【００４９】
例えば、図７において、「ＬＯＯＫ」の文字を入力する場合は、指が第１のタッチパッド１５のホームポジションにあるとした場合（図１０のステップＳ１，Ｓ２）、（１）右手の薬指を押し付けて「Ｌ」の入力を確定し（図１０のステップＳ５の「Ｙｅｓ」、ステップＳ６）、（２）右手の薬指を移動させて「Ｏ」を選択し（図１０のステップＳ３の「Ｙｅｓ」、ステップＳ４）、２回押し付けることで、「Ｏ」、「Ｏ」の入力を確定し（図１０のステップＳ５の「Ｙｅｓ」、ステップＳ６）、さらに、ホームポジションにある右手の中指を押し付けて、「Ｋ」の入力を確定する（図１０のステップＳ６）。
【００５０】
なお、表示制御部１２４は、第１のタッチパッド１５上で指が各キーの境界領域にある場合には、周辺のキーを表示することにしてもよい。図１１は、ＬＣＤ１３の表示例を示す図である。同図では、右手の人差し指が「Ｊ」と「Ｙ」、「Ｕ」の境界付近にある場合の表示例を示している。例えば、ホームポジションから距離で１．５σから２．５σ程度、角度方向は各文字に割り当てられた範囲の１／４程度の重なりがある場合に周辺のキーを表示することにしてもよい。
【００５１】
以上説明したように、本実施の形態によれば、背面入力用アプリケーション１１３では、ホームポジション設定部１２２が、第１のタッチパッド１５に左右の複数本の指が接触した位置を検出して、各複数本の指の位置をホームポジションに設定し、キー入力判別部１２２が、各複数本の指のホームポジションからの相対的変位及びその押し圧力に基づいて、キー入力を判別することとしたので、容易に両手で背面入力を行うことが可能となる。
【００５２】
また、本実施の形態によれば、キー入力判別部１２２は、ホームポジションから指の移動量が閾値を超え、かつ、その移動方向が所定角度範囲内である場合に、対応するキーを選択し、キーが選択された場合において、当該指の閾値以上の押し圧力を検出した場合に、選択されたキーのキー入力を確定することとしたので、ユーザは、キーの選択とキー入力の確定を簡単に行うことが可能となる。
【００５３】
また、本実施の形態によれば、背面入力用アプリケーション１１３の表示制御部１２４は、ＬＣＤ１３に、第１のタッチパッド１５によるキー入力のガイダンス表示を行うこととしたので、ユーザはガイダンス表示を見ながら簡単に背面入力を行うことが可能となる。付言すると、ユーザはガイダンス表示を見ながら背面入力を練習することで、入力速度を格段に向上させることができる。
【００５４】
（変形例）
次に、図１２〜図１４を参照して変形例を説明する。図１２は変形例に係る上背面入力に関する概略の機能構成図である。変形例では、図１２に示す背面入力用アプリケーション１１３は、学習部１２５を備えている。学習部１２５は、第１のタッチパッド１５でキー入力が行われた際の当該指の移動方向を学習し（履歴を管理）し、指−キー配列記憶部１２１に記憶されているキー配置の所定角度範囲を修正することにしてもよい。すなわち、ユーザの癖を学習してキー配置を修正する。
【００５５】
例えば、ホームポジション以外のキーをデフォルトの角度とずれたところで入力する傾向がある場合には所定角度範囲を修正することにしてもよい。また、標準的な指以外での入力を許容してもよい。図１３は、図８で示した左手の人差し指のキー配置の修正例を示す図である。図１３に示す例では、「４」、「５」を入力する場合に、図８に示す第２の所定範囲角度、第３の所定範囲角度内で、それぞれ右側に偏った指の移動方向となる場合に、図１３に示すように、「４」、「５」を右側に少しずらした配置としたものである。また、図１３は、左手の人差し指に割り当てていない「３」を、左手の人差し指に割り当てた配置例を示している。例えば、最初は「３」の位置を他のキーとは離した配置し、ユーザが「３」の入力操作を繰り返すたびに他のキーに近づけた配置としてもよい。
【００５６】
また、学習部１２５は、第１のタッチパッド１５に対する指の押し圧力を学習し（押し圧力の履歴を管理し）、指の押し圧力の閾値を修正することにしてもよい。図１４は、ユーザの指の押し圧力の一例を説明するための図である。閾値の修正は、指毎及びキー毎に行うことにしてもよい。例えば、通常時の力の平均と分布から閾値を設定してもよい。例えば、閾値は、平均値＋3σ（標準偏差）の力で入力を判定することにしてもよい。ユーザが閾値よりも大きな力で押す傾向がある場合は、閾値を上げることにしてもよい（図１４（ａ））。いつも閾値ぎりぎりの力で入力する場合は、同じキーを閾値以下の力で押してから押し直すことが繰り返される場合が多い。この場合、このキーの決定に対応する閾値を下げることにしてもよい（図１４（ｂ））。さらに、ユーザが同じキーの入力を繰り返し取り消す場合は、当該キーの閾値を上げることにしてもよい。
【００５７】
変形例によれば、学習部１２５は、第１のタッチパッド１５でキー入力が行われた際の当該指の移動方向を学習し、指−キー配列記憶部１２１に記憶されているキー配置の所定角度範囲を修正することにしたので、ユーザに適したキー配置とすることが可能となる。
【００５８】
また、学習部１２５は、第１のタッチパッド１５に対する指の押し圧力を学習し、指の押し圧力の閾値を修正することにしたので、ユーザに適した指の力で背面入力を行うことが可能となる。
【００５９】
なお、上記した実施の形態では、第１のタッチパッド１５をタッチ座標検出部１５ａと圧力検出部１５ｂとで構成することにしたが、他の構成としてもよく、例えば、メカ的スイッチ機構等を使用した構成としてもよい。
【００６０】
上記実施の形態では、タブレットＰＣを例示して説明したが、本発明はこれに限られるものではなく、スマートフォン、ＰＤＡ等のスレートタイプの情報処理装置に適用可能である。 
【産業上の利用可能性】
【００６１】
以上のように、本発明にかかる携帯型情報処理装置、その入力方法、およびコンピュータが実行可能なプログラムは、タッチパネルを備えた各種装置に利用可能である。 
【符号の説明】
【００６２】
１０  タブレットＰＣ
１１  筐体
１２  第２のタッチパッド
１３  ＬＣＤ  
１４  回路基板
１５  第１のタッチパッド
２０  入力部
１０１  ＣＰＵ
１０２  ＲＯＭ
１０３  メモリ
１０４  ＨＤＤ（ハードディスク）
１０５  グラフィクスアダプタ
１０６  ディスクドライブ
１０８  電源回路 
１１２ａ  タッチパッドドライバ
１１３  背面入力用アプリ−ション
１２１  指−キー配列記憶部  
１２２  ホームポジション設定部
１２３  キー入力判別部
１２４  表示制御部
１２５  学習部
【図１】
2014176019.tif 000003
【図２】
2014176019.tif 000004
【図３】
2014176019.tif 000005
【図４】
2014176019.tif 000006
【図５】
2014176019.tif 000007
【図６】
2014176019.tif 000008
【図７】
2014176019.tif 000009
【図８】
2014176019.tif 000010
【図９】
2014176019.tif 000011
【図１０】
2014176019.tif 000012
【図１１】
2014176019.tif 000013
【図１２】
2014176019.tif 000014
【図１３】
2014176019.tif 000015
【図１４】
2014176019.tif 000016
【図１５】
2014176019.tif 000017